(57)【要約】【課題】地盤の中に間隔を置いて設けられた、それぞれが前記地盤から上方へ伸びる２つの杭と、該杭の間の梁と、各杭の上の柱部材とを含む建物において、地震時に前記柱部材が水平力を受けたときに前記柱部材の下端部及び前記杭の上端部のそれぞれに作用する曲げモーメントと、前記梁の各端部に作用する曲げモーメントとが小さくなるようにすることにより、前記杭及び前記梁のそれぞれを小型化すること。【解決手段】建物は、地盤の中に間隔を置いて設けられた、それぞれが前記地盤から上方へ伸びる２つの杭と、各杭の上端部に取り付けられ、該上端部を取り巻く筒状部材であって上端面が前記杭の上端面とほぼ同じ高さに位置する筒状部材と、前記杭の間に配置され、一端部が、一方の杭の上端部に取り付けられた筒状部材に、他端部が、他方の杭の上端部に取り付けられた筒状部材にそれぞれ取り付けられた梁と、各杭の上に配置された柱部材とを含む。【選択図】図１
2011117208.tif 000002
【特許請求の範囲】
【請求項１】
地盤の中に間隔を置いて設けられ、それぞれが前記地盤から上方へ伸びる第１杭及び第２杭と、
前記第１杭の上端部に取り付けられ、該上端部を取り巻く第１筒状部材であって上端面が前記第１杭の上端面とほぼ同じ高さに位置する第１筒状部材と、
前記第２杭の上端部に取り付けられ、該上端部を取り巻く第２筒状部材であって上端面が前記第２杭の上端面とほぼ同じ高さに位置する第２筒状部材と、
前記第１杭の前記上端部と前記第２杭の前記上端部との間に配置され、一端部が前記第１筒状部材に、他端部が前記第２筒状部材にそれぞれ取り付けられた梁と、
前記第１杭の上に配置された第１柱部材と、
前記第２杭の上に配置された第２柱部材とを含む、建物。
【請求項２】
前記第１杭及び前記第２杭のそれぞれは中空であり、前記第１杭の前記上端部及び前記第２杭の前記上端部のそれぞれは開放されており、
前記第１杭は、該第１杭の前記上端部に取り付けられ、該上端部を塞ぐ第１閉塞プレートを有し、前記第１柱部材は前記第１閉塞プレートに結合されており、
前記第２杭は、該第２杭の前記上端部に取り付けられ、該上端部を塞ぐ第２閉塞プレートを有し、前記第２柱部材は前記第２閉塞プレートに結合されている、請求項１に記載の建物。
【請求項３】
前記第１杭は、前記第１閉塞プレートに間隔を置いて取り付けられ、それぞれが前記第１閉塞プレートから上方へ伸びる複数の第１ボルトを有し、
前記第１柱部材は、該第１柱部材の下端部に固定され、それぞれが前記第１ボルトを受け入れる複数の第１貫通穴を有する第１ベースプレートを有し、
前記第２杭は、前記第２閉塞プレートに間隔を置いて取り付けられ、それぞれが前記第２閉塞プレートから上方へ伸びる複数の第２ボルトを有し、
前記第２柱部材は、該第２柱部材の下端部に固定され、それぞれが前記第２ボルトを受け入れる複数の第２貫通穴を有する第２ベースプレートを有する、請求項２に記載の建物。
【請求項４】
前記第１杭及び前記第２杭のそれぞれは中空であり、前記第１杭の前記上端部及び前記第２杭の前記上端部のそれぞれは開放されており、
前記第１杭は、該第１杭の前記上端部に取り付けられ、該上端部を塞ぐ第１閉塞プレートと、該第１閉塞プレートに固定された第１ブラケットとを有し、前記第１柱部材は前記第１ブラケットに結合されており、
前記第２杭は、該第２杭の前記上端部に取り付けられ、該上端部を塞ぐ第２閉塞プレートと、該第２閉塞プレートに固定された第２ブラケットとを有し、前記第２柱部材は前記第２ブラケットに結合されている、請求項１に記載の建物。
【請求項５】
前記第１杭及び前記第２杭のそれぞれは中空であり、前記第１杭の前記上端部及び前記第２杭の前記上端部のそれぞれは開放されており、
前記第１杭は、該第１杭の前記上端面に固定され、該上端面の平面形状に対応する環状の平面形状を有する第１端板を有し、前記第１柱部材は前記第１端板に結合されており、
前記第２杭は、該第２杭の前記上端面に固定され、該上端面の平面形状に対応する環状の平面形状を有する第２端板を有し、前記第２柱部材は前記第２端板に結合されている、請求項１に記載の建物。
【発明の詳細な説明】
【技術分野】
【０００１】
本発明は建物に関する。
【背景技術】
【０００２】
従来の建物には、地盤の中に間隔を置いて設けられた第１杭及び第２杭と、前記第１杭の上に配置された第１柱と、前記第２杭の上に配置された第２柱と、前記第１柱と前記第２柱との間に配置された梁とを含むものがある（特許文献１参照）。前記地盤の表層は、地盤改良されており、地震時に前記第１杭及び前記第２杭のそれぞれが受ける水平力を負担する。このため、前記第１杭と前記第２杭とを連結する基礎梁を要せず、該基礎梁の施工に費用をかけることなく前記建物を経済的に構築することができる。
【０００３】
前記第１柱は、前記第１杭に結合された下方部分と、該下方部分の上に位置する上方部分とを有し、前記第２柱は、前記第２杭に結合された下方部分と、該下方部分の上に位置する上方部分とを有する。前記建物は、前記第１柱の前記下方部分の上端部に取り付けられ、該上端部を取り巻く第１筒状部材と、前記第２柱の前記下方部分の上端部に取り付けられ、該上端部を取り巻く第２筒状部材とを含み、前記梁の一端部は前記第１筒状部材に取り付けられており、前記梁の他端部は前記第２筒状部材に取り付けられている。
【先行技術文献】
【特許文献】
【０００４】
【特許文献１】特開２００２−２３５３７５号公報
【発明の概要】
【発明が解決しようとする課題】
【０００５】
地震時に前記第１柱の前記上方部分が水平力を受けて前記下方部分に対して回転しようとしたとき、その回転が前記第１筒状部材により妨げられ、前記上方部分の下端部及び前記下方部分の上端部のそれぞれに比較的大きい曲げモーメントが作用する。このため、前記第１柱は、前記曲げモーメントを負担しなければならず、比較的大型である。地震時に前記第２柱の前記上方部分が水平力を受けて前記下方部分に対して回転しようとしたとき、その回転が前記第２筒状部材により妨げられ、前記上方部分の下端部及び前記下方部分の上端部のそれぞれに比較的大きい曲げモーメントが作用する。このため、前記第２柱は、前記曲げモーメントを負担しなければならず、比較的大型である。
【０００６】
地震時に前記第１柱の前記上方部分が水平力を受けたとき、前記上方部分の下端部に作用する曲げモーメントと、前記下方部分の上端部に作用する曲げモーメントとの和に相当する曲げモーメントが前記梁の前記一端部に作用する。前記上方部分の下端部及び前記下方部分の上端部のそれぞれに作用する曲げモーメントが比較的大きいため、前記梁の前記一端部に作用する曲げモーメントは比較的大きい。地震時に前記第２柱の前記上方部分が水平力を受けたとき、前記上方部分の下端部に作用する曲げモーメントと、前記下方部分の上端部に作用する曲げモーメントとの和に相当する曲げモーメントが前記梁の前記他端部に作用する。前記上方部分の下端部及び前記下方部分の上端部のそれぞれに作用する曲げモーメントが比較的大きいため、前記梁の前記他端部に作用する曲げモーメントは比較的大きい。このため、前記梁は、比較的大きい曲げモーメントを負担しなければならず、比較的大型である。よって、前記建物は不経済である。
【０００７】
本発明の目的は、地盤の中に間隔を置いて設けられた、それぞれが前記地盤から上方へ伸びる２つの杭と、該杭の間の梁と、各杭の上の柱部材とを含む建物において、地震時に前記柱部材が水平力を受けたときに前記柱部材の下端部及び前記杭の上端部のそれぞれに作用する曲げモーメントと、前記梁の各端部に作用する曲げモーメントとが比較的小さくなるようにすることにより、前記杭及び前記梁のそれぞれを小型化することである。
【課題を解決するための手段】
【０００８】
本発明は、柱部材の下の杭の上端部を取り巻く、上端面が前記杭の上端面とほぼ同じ高さに位置する筒状部材に梁の端部が取り付けられている。これにより、地震時に前記柱部材が水平力を受けて前記杭に対して回転しようとしたときに、その回転が前記筒状部材により妨げられることがないようにし、前記柱部材の下端部及び前記杭の上端部のそれぞれに作用する曲げモーメントが比較的小さくなるようにし、前記梁の各端部に作用する曲げモーメントが比較的小さくなるようにする。これにより、前記杭及び前記梁のそれぞれが負担する曲げモーメントが比較的小さくなるようにし、前記杭及び前記梁のそれぞれを小型化する。
【０００９】
本発明に係る建物は、地盤の中に間隔を置いて設けられた、それぞれが前記地盤から上方へ伸びる第１杭及び第２杭と、前記第１杭の上端部に取り付けられ、該上端部を取り巻く第１筒状部材であって上端面が前記第１杭の上端面とほぼ同じ高さに位置する第１筒状部材と、前記第２杭の上端部に取り付けられ、該上端部を取り巻く第２筒状部材であって上端面が前記第２杭の上端面とほぼ同じ高さに位置する第２筒状部材と、前記第１杭の上端部と前記第２杭の上端部との間に配置され、一端部が前記第１筒状部材に、他端部が前記第２筒状部材にそれぞれ取り付けられた梁と、前記第１杭の上に配置された第１柱部材と、前記第２杭の上に配置された第２柱部材とを含む。
【００１０】
前記第１柱部材の下の前記第１杭の上端部を取り巻く前記第１筒状部材であってその上端面が前記第１杭の上端面とほぼ同じ高さに位置する前記第１筒状部材に前記梁の前記一端部が取り付けられているため、地震時に前記第１柱部材が水平力を受けて前記第１杭に対して回転しようとしたとき、その回転が前記第１筒状部材により妨げられることはなく、前記第１柱部材の下端部に作用する曲げモーメントは比較的小さく、前記第１柱部材の下端部から前記第１杭の上端部に伝わる曲げモーメントは比較的小さい。これにより、前記第１杭が負担する曲げモーメントは比較的小さく、前記第１杭を小型化することができる。
【００１１】
前記第１柱部材が前記水平力を受けたとき、前記第１柱部材の下端部に作用する曲げモーメントと、前記第１杭の上端部に作用する曲げモーメントとの和に相当する曲げモーメントが前記梁の前記一端部に作用する。前記第１柱部材の下端部に作用する曲げモーメントが比較的小さく、前記第１柱部材の下端部から前記第１杭の上端部に伝わる曲げモーメントが比較的小さいため、前記梁の前記一端部に作用する曲げモーメントは比較的小さい。これにより、前記梁が負担する曲げモーメントは比較的小さく、前記梁を小型化することができる。
【００１２】
前記第２柱部材の下の前記第２杭の上端部を取り巻く前記第２筒状部材であってその上端面が前記第２杭の上端面とほぼ同じ高さに位置する前記第２筒状部材に前記梁の前記他端部が結合されているため、地震時に前記第２柱部材が水平力を受けて前記第２杭に対して回転しようとしたとき、その回転が前記第２筒状部材により妨げられることはなく、前記第２柱部材の下端部に作用する曲げモーメントは比較的小さく、前記第２柱部材の下端部から前記第２杭の上端部に伝わる曲げモーメントは比較的小さい。これにより、前記第２杭が負担する曲げモーメントは比較的小さく、前記第２杭を小型化することができる。
【００１３】
前記第２柱部材が前記水平力を受けたとき、前記第２柱部材の下端部に作用する曲げモーメントと、前記第２杭の上端部に作用する曲げモーメントとの和に相当する曲げモーメントが前記梁の前記他端部に作用する。前記第２柱部材の下端部に作用する曲げモーメントが比較的小さく、前記第２柱部材の下端部から前記第２杭の上端部に伝わる曲げモーメントが比較的小さいため、前記梁の前記他端部に作用する曲げモーメントは比較的小さい。これにより、前記梁が負担する曲げモーメントは比較的小さく、前記梁を小型化することができる。
【００１４】
前記第１杭及び前記第２杭のそれぞれは中空であり、前記第１杭の上端部及び前記第２杭の上端部のそれぞれは開放されている。前記第１杭は、該第１杭の上端部に取り付けられ、該上端部を塞ぐ第１閉塞プレートを有するものとすることができ、前記第１柱部材は、前記第１閉塞プレートに結合されたものとすることができる。前記第２杭は、該第２杭の上端部に取り付けられ、該上端部を塞ぐ第２閉塞プレートを有するものとすることができ、前記第２柱部材は、前記第２閉塞プレートに結合されたものとすることができる。
【００１５】
前記第１杭は、前記第１閉塞プレートに間隔を置いて取り付けられた、それぞれが前記第１閉塞プレートから上方へ伸びる複数の第１ボルトを有するものとすることができ、前記第１柱部材は、該第１柱部材の下端部に固定され、それぞれが前記第１ボルトを受け入れる複数の第１貫通穴を有する第１ベースプレートを有するものとすることができる。前記第２杭は、前記第２閉塞プレートに間隔を置いて取り付けられた、それぞれが前記第２閉塞プレートから上方へ伸びる複数の第２ボルトを有するものとすることができ、前記第２柱部材は、該第２柱部材の下端部に固定され、それぞれが前記第２ボルトを受け入れる複数の第２貫通穴を有する第２ベースプレートを有するものとすることができる。
【００１６】
前記第１杭は、該第１杭の上端部に取り付けられ、該上端部を塞ぐ第１閉塞プレートと、該第１閉塞プレートに固定された第１ブラケットとを有するものとすることができ、前記第１柱部材は、前記第１ブラケットに結合されたものとすることができる。前記第２杭は、該第２杭の上端部に取り付けられ、該上端部を塞ぐ第２閉塞プレートと、該第２閉塞プレートに固定された第２ブラケットとを有するものとすることができ、前記第２柱部材は、前記第２ブラケットに結合されたものとすることができる。
【００１７】
前記第１杭は、該第１杭の上端面に固定され、該上端面の平面形状に対応する環状の平面形状を有する第１端板を有するものとすることができ、前記第１柱部材は、前記第１端板に結合されたものとすることができる。前記第２杭は、該第２杭の上端面に固定され、該上端面の平面形状に対応する環状の平面形状を有する第２端板を有するものとすることができ、前記第２柱部材は、前記第２端板に結合されたものとすることができる。
【発明の効果】
【００１８】
本発明によれば、柱部材の下の杭の上端部を取り巻く、上端面が前記杭の上端面とほぼ同じ高さに位置する筒状部材に梁の端部が取り付けられているため、地震時に前記柱部材が水平力を受けて前記杭に対して回転しようとしたとき、その回転が前記筒状部材により妨げられることはなく、前記柱部材の下端部に作用する曲げモーメントは比較的小さく、前記柱部材の下端部から前記杭の上端部に伝わる曲げモーメントは比較的小さい。このため、前記杭が負担する曲げモーメントは比較的小さく、前記杭を小型化することができる。
【００１９】
前記柱部材が前記水平力を受けたとき、前記柱部材の下端部に作用する曲げモーメントと、前記杭の上端部に作用する曲げモーメントとの和に相当する曲げモーメントが前記梁の前記端部に作用するが、前記柱部材の下端部に作用する曲げモーメントが比較的小さく、前記柱部材の下端部から前記杭の上端部に伝わる曲げモーメントが比較的小さいため、前記梁の前記端部に作用する曲げモーメントは比較的小さい。このため、前記梁が負担する曲げモーメントは比較的小さく、前記梁を小型化することができる。
【図面の簡単な説明】
【００２０】
【図１】本発明の第１実施例に係る建物の正面図。
【図２】本発明の第１実施例に係る建物の第１杭の上端部の縦断面図。
【図３】本発明の第２実施例に係る建物の第１杭の上端部の縦断面図。
【図４】本発明の第３実施例に係る建物の第１杭の上端部の縦断面図。
【図５】本発明の第４実施例に係る建物の第１杭の上端部の縦断面図。
【図６】本発明の第５実施例に係る建物の正面図。
【図７】本発明の第６実施例に係る建物の正面図。
【発明を実施するための形態】
【００２１】
図１に示すように、建物１０が構築されており、該建物は、地盤１２の中に間隔を置いて設けられた、それぞれが地盤１２から上方へ伸びる第１杭１４及び第２杭１６と、第１杭１４の上端部１８と第２杭１６の上端部２０との間に配置された梁（下方の梁）２２と、第１杭１４の上に配置された第１柱部材２４と、第２杭１６の上に配置された第２柱部材２６とを含む。
【００２２】
第１杭１４及び第２杭１６のそれぞれは既製のコンクリート杭であり、第１柱部材２４及び第２柱部材２６のそれぞれは鉄骨である。第１杭１４及び第２杭１６のそれぞれは、地盤１２の上に位置する地上部分１４ａ、１６ａを有し、第１杭１４の地上部分１４ａ及び第１柱部材２４は第１柱を構成し、第２杭１６の地上部分１６ａ及び第２柱部材２６は第２柱を構成する。
【００２３】
建物１０は、第１杭１４の上端部１８に取り付けられた、該上端部を取り巻く第１筒状部材２８と、第２杭１６の上端部２０に取り付けられた、該上端部を取り巻く第２筒状部材３０とを含み、下方の梁２２の一端部３２は第１筒状部材２８に取り付けられており、下方の梁２２の他端部３４は第２筒状部材３０に取り付けられている。建物１０は、下方の梁２２から間隔を置いて第１柱部材２４と第２柱部材２６との間に配置された上方の梁３６を含む。第１筒状部材２８、第２筒状部材３０、下方の梁２２及び上方の梁３６のそれぞれは鋼製である。地盤１２の上及び下方の梁２２の上のそれぞれに、鉄筋コンクリートからなるスラブ３８、４０が設けられており、上方の梁３６の上に屋根（図示せず）が設けられている。
【００２４】
地盤１２の表層１２ａは、地盤改良されており、地震時に第１杭１４及び第２杭１６のそれぞれが受ける水平力に抵抗する。前記地盤改良は、地表と、該地表から下方へ約１ｍないし３ｍ隔てられた位置との間の範囲においてなされている。前記地盤改良は、例えば、地盤１２の表層１２ａの中へセメント系の固化剤を注入することによりなされている。
【００２５】
図２に示すように、第１杭１４は、該第１杭の上端部１８に取り付けられ、該上端部を取り巻く第１環状プレート４４を有し、第１筒状部材２８は第１環状プレート４４の上に配置されている。第１筒状部材２８と第１杭１４の上端部１８との間に、モルタル又はコンクリートからなる第１充填材４６が充填されている。第１筒状部材２８の上端面４８は第１杭１４の上端面４２とほぼ同じ高さに位置する。第１筒状部材２８は、該第１筒状部材の外面に固定されたブラケット２８ａを有し、下方の梁２２の一端部３２は第１筒状部材２８のブラケット２８ａに結合されている。
【００２６】
第１杭１４は中空であり、該第１杭の上端部１８は開放されている。第１杭１４は、該第１杭の上端部１８に取り付けられ、該上端部を塞ぐ第１閉塞プレート５０を有する。図２に示した例では、第１杭１４は、該第１杭の上端面４２に固定され、該上端面の平面形状に対応する環状の平面形状を有する第１端板５２を有し、第１閉塞プレート５０は第１端板５２に溶接されている。
【００２７】
第１杭１４は、第１閉塞プレート５０に間隔を置いて取り付けられた、それぞれが第１閉塞プレート５０から上方へ伸びる複数の第１ボルト５４を有し、第１柱部材２４は、該第１柱部材の下端部５６に固定され、それぞれが第１ボルト５４を受け入れる複数の第１貫通穴５８を有する第１ベースプレート６０を有する。第１ベースプレート６０は、該第１ベースプレートの上において第１ボルト５４に螺合された第１ナット６２により第１閉塞プレート５０に取り付けられている。このようにして第１柱部材２４は第１閉塞プレート５０に結合されている。第１ベースプレート６０は、第１ボルト５４に螺合された第１ナット６２により第１閉塞プレート５０に取り付けられている図２に示した例に代え、第１閉塞プレート５０に溶接されていてもよい。
【００２８】
第１杭１４と同様に、第２杭１６は、該第２杭の上端部２０に取り付けられ、該上端部を取り巻く第２環状プレート（図示せず）を有し、第２筒状部材３０は、前記第２環状プレートの上に配置されている。第２筒状部材３０と第２杭１６の上端部２０との間に、モルタル又はコンクリートからなる第２充填材（図示せず）が充填されている。第２筒状部材３０の上端面は第２杭１６の上端面とほぼ同じ高さに位置する。第２筒状部材３０は、該第２筒状部材の外面に固定されたブラケット（図示せず）を有し、下方の梁２２の他端部３４は第２筒状部材３０の前記ブラケットに結合されている。
【００２９】
第２杭１６は中空であり、該第２杭の上端部２０は開放されている。第２杭１６は、該第２杭の上端部２０に取り付けられ、該上端部を塞ぐ第２閉塞プレート（図示せず）を有する。第２杭１６は、該第２杭の前記上端面に固定され、該上端面の平面形状に対応する環状の平面形状を有する第２端板（図示せず）を有し、前記第２閉塞プレートは前記第２端板に溶接されている。
【００３０】
第２杭１６は、前記第２閉塞プレートに間隔を置いて取り付けられた、それぞれが前記第２閉塞プレートから上方へ伸びる複数の第２ボルト（図示せず）を有し、第２柱部材２６は、該第２柱部材の下端部に固定され、それぞれが前記第２ボルトを受け入れる複数の第２貫通穴（図示せず）を有する第２ベースプレート（図示せず）を有する。前記第２ベースプレートは、該第２ベースプレートの上において前記第２ボルトに螺合された第２ナット（図示せず）により前記第２閉塞プレートに取り付けられている。このようにして前記第２柱部材は前記第２閉塞プレートに結合されている。前記第２ベースプレートは、前記第２ボルトに螺合された前記第２ナットにより前記第２閉塞プレートに取り付けられている上記の例に代え、前記第２閉塞プレートに溶接されていてもよい。
【００３１】
建物１０の構築の前に、第１ボルト５４は第１閉塞プレート５０に取り付けられており、該第１閉塞プレート及び第１環状プレート４４のそれぞれは第１杭１４の上端部１８に取り付けられている。また、前記第２ボルトは前記第２閉塞プレートに取り付けられており、該第２閉塞プレート及び前記第２環状プレートのそれぞれは第２杭１６の上端部２０に取り付けられている。
【００３２】
建物１０を構築するとき、まず、水平方向に間隔を置かれた第１杭１４及び第２杭１６を、第１杭１４及び第２杭１６のそれぞれの一部が地盤１２の上方に位置するように該地盤の中に設ける。次に、第１杭１４の上端部１８に、該上端部を取り巻く第１筒状部材２８を、第２杭１６の上端部２０に、該上端部を取り巻く第２筒状部材３０をそれぞれ取り付ける。このとき、第１筒状部材２８の上端面４８が第１杭１４の上端面４２とほぼ同じ高さに位置し、第２筒状部材３０の前記上端面が第２杭１６の前記上端面とほぼ同じ高さに位置するようにする。
【００３３】
第１杭１４の上端部１８に第１筒状部材２８を取り付けるとき、第１筒状部材２８を第１環状プレート４４の上に配置し、第１筒状部材２８と第１杭１４の上端部１８との間に第１充填材４６を充填する。第２筒状部材３０を第２杭１６の上端部２０に取り付けるとき、第２筒状部材３０を前記第２環状プレートの上に配置し、第２筒状部材３０と第２杭１６の上端部２０との間に前記第２充填材を充填する。
【００３４】
第１杭１４の上端部１８への第１筒状部材２８の取付け及び第２杭１６の上端部２０への第２筒状部材３０の取付けの後、第１杭１４の上端部１８と第２杭１６の上端部２０との間に下方の梁２２を配置し、該下方の梁の一端部３２を第１筒状部材２８に、他端部３４を第２筒状部材３０にそれぞれ取り付ける。第１筒状部材２８への下方の梁２２の一端部３２の取り付けは、下方の梁２２の一端部３２を第１筒状部材２８のブラケット２８ａに結合することにより行い、第２筒状部材３０への下方の梁２２の他端部３４の取り付けは、下方の梁２２の他端部３４を第２筒状部材３０の前記ブラケットに結合することにより行う。
【００３５】
なお、第１杭１４の上端部１８と第２杭１６の上端部２０との間に下方の梁２２を配置した後に、該下方の梁の一端部３２を第１筒状部材２８に、他端部３４を第２筒状部材３０にそれぞれ取り付ける上記の例に代え、第１杭１４の上端部１８と第２杭１６の上端部２０との間に下方の梁２２を配置する前に、第１筒状部材２８を下方の梁２２の一端部３２に、第２筒状部材３０を下方の梁２２の他端部３４にそれぞれ取り付けておいてもよい。この場合、第１杭１４の上端部１８と第２杭１６の上端部２０との間に下方の梁２２を配置するとき、第１筒状部材２８が第１杭１４の上端部１８を取り巻き、第２筒状部材３０が第２杭１６の上端部２０を取り巻くようにする。
【００３６】
第１杭１４の上端部１８と第２杭１６の上端部２０との間に下方の梁２２を配置し、該下方の梁の一端部３２を第１筒状部材２８に、他端部３４を第２筒状部材３０にそれぞれ取り付けた後、第１杭１４の上に第１柱部材２４を、第２杭１６の上に第２柱部材２６をそれぞれ配置し、第１柱部材２４と第２柱部材２６との間に、下方の梁２２から間隔を置かれた上方の梁３６を配置する。第１杭１４の上に第１柱部材２４を配置するとき、まず、第１杭１４の上方から第１柱部材２４を、第１ベースプレート６０の各第１貫通穴５８が第１ボルト５４を受け入れるまで下降させる。その後、第１ベースプレート６０の上において第１ボルト５４に第１ナット６２を螺合する。第２杭１６の上に第２柱部材２６を配置するとき、まず、第２杭１６の上方から第２柱部材２６を、前記第２ベースプレートの各第２貫通穴が前記第２ボルトを受け入れるまで下降させる。その後、前記第２ベースプレートの上において前記第２ボルトに前記第２ナットを螺合する。
【００３７】
第１柱部材２４の第１ベースプレート６０が、第１杭１４の第１閉塞プレート５０に取り付けられた第１ボルト５４をそれぞれが受け入れる複数の第１貫通穴５８を有するため、第１杭１４の上方から第１柱部材２４を、各第１貫通穴５８が第１ボルト５４を受け入れるまで下降させたときに、第１柱部材２４を第１杭１４に対して予め決められた位置に配置することができる。このため、第１杭１４に対する第１柱部材２４の位置を調整することなく該第１柱部材を前記予め決められた位置に効率良く配置することができる。
【００３８】
第２柱部材２６の前記第２ベースプレートが、第２杭１６の前記第２閉塞プレートに取り付けられた前記第２ボルトをそれぞれが受け入れる複数の前記第２貫通穴を有するため、第２杭１６の上方から第２柱部材２６を、各第２貫通穴が前記第２ボルトを受け入れるまで下降させたときに、第２柱部材２６を第２杭１６に対して予め決められた位置に配置することができる。このため、第２杭１６に対する第２柱部材２６の位置を調整することなく該第２柱部材を前記予め決められた位置に効率良く配置することができる。
【００３９】
第１柱部材２４の下の第１杭１４の上端部１８を取り巻く、上端面４８が第１杭１４の上端面４２とほぼ同じ高さに位置する第１筒状部材２８に下方の梁２２の一端部３２が取り付けられているため、第１筒状部材２８が第１柱部材２４を拘束することはなく、地震時に第１柱部材２４が水平力を受けて第１杭１４に対して回転しようとしたときに、その回転が第１筒状部材２８により妨げられることはない。これにより、地震時に第１柱部材２４の下端部５６及び第１杭１４の上端部１８のそれぞれに作用する曲げモーメントは比較的小さく、第１杭１４を小型化することができる。
【００４０】
第１柱部材２４が前記水平力を受けたとき、第１柱部材２４の下端部５６に作用する曲げモーメントと、第１杭１４の上端部１８に作用する曲げモーメントとの和に相当する曲げモーメントが下方の梁２２の一端部３２に作用する。第１柱部材２４の下端部５６及び第１杭１４の上端部１８のそれぞれに作用する曲げモーメントが比較的小さいため、下方の梁２２の一端部３２に作用する曲げモーメントは比較的小さく、下方の梁２２及び第１筒状部材２８のそれぞれを小型化することができる。
【００４１】
第２柱部材２６の下の第２杭１６の上端部２０を取り巻く、上端面が第２杭１６の上端面とほぼ同じ高さに位置する第２筒状部材３０に下方の梁２２の他端部３４が取り付けられているため、第２筒状部材３０が第２柱部材２６を拘束することはなく、地震時に第２柱部材２６が水平力を受けて第２杭１６に対して回転しようとしたときに、その回転が第２筒状部材３０により妨げられることはない。これにより、地震時に第２柱部材２６の下端部及び第２杭１６の上端部２０のそれぞれに作用する曲げモーメントは比較的小さく、第２杭１６を小型化することができる。
【００４２】
第２柱部材２６が前記水平力を受けたとき、第２柱部材２６の下端部に作用する曲げモーメントと、第２杭１６の上端部２０に作用する曲げモーメントとの和に相当する曲げモーメントが下方の梁２２の他端部３４に作用する。第２柱部材２６の下端部及び第２杭１６の上端部２０のそれぞれに作用する曲げモーメントが比較的小さいため、下方の梁２２の他端部３４に作用する曲げモーメントは比較的小さく、下方の梁２２及び第２筒状部材３０のそれぞれを小型化することができる。
【００４３】
第１柱部材２４の下の第１杭１４の上端部１８を取り巻く、上端面４８が第１杭１４の上端面４２とほぼ同じ高さに位置する第１筒状部材２８に下方の梁２２の一端部３２が結合されているため、地震時に下方の梁２２に水平力が作用したとき、該水平力は第１柱部材２４を介することなく第１杭１４に伝わる。これにより、第１柱部材２４が前記水平力を負担しないようにすることができ、第１柱部材２４を小型化することができる。また、第２柱部材２６の下の第２杭１６の上端部２０を取り巻く、上端面が第２杭１６の上端面とほぼ同じ高さに位置する第２筒状部材３０に下方の梁２２の他端部３４が結合されているため、地震時に下方の梁２２に水平力が作用したとき、該水平力は第２柱部材２６を介することなく第２杭１６に伝わる。これにより、第２柱部材２６が前記水平力を負担しないようにすることができ、第２柱部材２６を小型化することができる。
【００４４】
図３に示す例では、第１柱部材２４及び第２柱部材２６がそれぞれ第１閉塞プレート５０及び前記第２閉塞プレートに結合されている図２に示した例に代え、第１杭１４が、第１閉塞プレート５０に固定された第１ブラケット６４を有し、第２杭１６が、前記第２閉塞プレートに固定された第２ブラケット（図示せず）を有し、第１柱部材２４及び第２柱部材２６がそれぞれ第１ブラケット６４及び前記第２ブラケットに結合されている。
【００４５】
図４に示す例では、第１柱部材２４及び第２柱部材２６がそれぞれ第１ブラケット６４及び前記第２ブラケットに結合されている図２に示した例に代え、第１柱部材２４及び第２柱部材２６がそれぞれ第１端板５２及び前記第２端板に結合されている。この場合、第１柱部材２４の第１ベースプレート６０は第１端板５２に、第２柱部材２６の前記第２ベースプレートは前記第２端板にそれぞれ溶接されている。
【００４６】
第１柱部材２４及び第２柱部材２６のそれぞれは、鉄骨からなる図１ないし４に示した例に代え、図５に示す例では、木材からなる。図５に示した例では、第１杭１４は、該第１杭の上端面４２に固定された第１端板５２と、該第１端板に取り付けられた第１閉塞プレート５０と、該第１閉塞プレートに間隔を置いて取り付けられ、それぞれが第１閉塞プレート５０から上方へ伸びる複数の第１ボルト５４とを有し、第１柱部材２４の下端部５６は第１ボルト５４に結合されている。第１柱部材２４と第１閉塞プレート５０との間に、第１柱部材２４に垂直な横材６６が配置されている。横材６６は、それぞれが第１ボルト５４を受け入れる複数の貫通穴６８を有する。
【００４７】
第２杭１６は、該第２杭の上端面に固定された前記第２端板と、該第２端板に取り付けられた前記第２閉塞プレートと、該第２閉塞プレートに間隔を置いて取り付けられ、それぞれが前記第２閉塞プレートから上方へ伸びる複数の前記第２ボルトとを有し、第２柱部材２６の下端部は前記第２ボルトに結合されている。第２柱部材２６と前記第２閉塞プレートとの間に、第２柱部材２６に垂直な横材（図示せず）が配置されている。前記横材は、それぞれが前記第２ボルトを受け入れる複数の貫通穴（図示せず）を有する。
【００４８】
図６に示す例では、下方の梁２２と上方の梁３６との間に第１斜材７０と第２斜材７２とが配置されている。第１斜材７０の上端部は上方の梁３６に取り付けられており、第１斜材７０の下端部は第１柱部材２４の下端部５６に取り付けられている。第２斜材７２の上端部は上方の梁３６に取り付けられており、第２斜材７２の下端部は第２柱部材２６の下端部に取り付けられている。
【００４９】
第１杭１４及び第２杭１６のそれぞれは、既製のコンクリート杭である図１に示した例に代え、既製の鋼杭でもよい。建物１０は、図１に示した例では、２階建ての建物であるが、これに代え、図７に示すように、３以上の階層を有する建物でもよい。
【符号の説明】
【００５０】
１０    建物
１２    地盤
１４    第１杭
１６    第２杭
１８    上端部
２０    上端部
２２    梁（下方の梁）
２４    第１柱部材
２６    第２柱部材
２８    第１筒状部材
３０    第２筒状部材
３２    一端部
３４    他端部
４２    第１杭の上端面
４８    第１筒状部材の上端面
５０    第１閉塞プレート
５２    第１端板
５４    第１ボルト
５６    下端部
５８    第１貫通穴
６０    第１ベースプレート
６４    第１ブラケット
【図１】
2011117208.tif 000003
【図２】
2011117208.tif 000004
【図３】
2011117208.tif 000005
【図４】
2011117208.tif 000006
【図５】
2011117208.tif 000007
【図６】
2011117208.tif 000008
【図７】
2011117208.tif 000009